【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
タッチスクリーンディスプレイと、
キーワードと、前記キーワードに属するストローク集合に対する文字認識結果とが少なくとも記憶される特徴テーブルと、
手書きアプリケーションプログラムを実行するプロセッサと、
を具備し、
前記プロセッサは、
前記タッチスクリーンディスプレイから入力されるｎ（ｎは３以上の整数）画で表現される文字又は単語のストロークデータに対応する各ストローク集合に対して文字認識処理を実行し、
１画目〜ｎ画目のストローク集合乃至ｎ−１画目〜ｎ画目のストローク集合、およびｎ画目のストロークにおける前記文字認識処理の各認識結果に基づいて前記特徴テーブルを検索し、
前記１画目〜ｎ画目のストローク集合乃至ｎ−１画目〜ｎ画目のストローク集合、および前記ｎ画目のストローク毎に前記特徴テーブルから検索された前記キーワードを前記ｎ画目を入力した時点の前記ストロークデータに対する入力候補として前記タッチスクリーンディスプレイに表示する
電子機器。
【請求項２】
前記プロセッサは、
検索された前記キーワードの各々に対して画数をランク付けのためのスコアとして付与し、
前記１画目〜ｎ画目のストローク集合乃至ｎ−１画目〜ｎ画目のストローク集合、および前記ｎ画目のストロークで検索された前記キーワードのうち、前記スコアの合計の高いキーワードを前記ｎ画目を入力した時点の前記ストロークデータに対する入力候補として前記タッチスクリーンディスプレイに表示する、請求項１に記載の電子機器。
【請求項３】
前記プロセッサは、
２画目〜ｎ画目のストローク集合で検索された第２キーワードを、１画目〜ｎ画目のストローク集合で検索された第１キーワードとは異なる色で表示する、請求項１に記載の電子機器。
【請求項４】
前記プロセッサは、
１画目のストロークが入力された時点から手書き入力候補として複数回表示されているにも関わらず、選択されない前記キーワードを前記入力候補として表示され続けるのを阻止する、請求項１に記載の電子機器。
【請求項５】
前記プロセッサは、
ｋ画目（１＜ｋ＜ｎ）のストロークを基点とした前記文字認識処理の認識結果に基づいて前記特徴テーブルを検索し、その検索結果のキーワードの１つが前記入力候補として選択された場合、１画目〜ｋ−１画目のストロークをそのままにして、ｋ画目以降のストロークを前記選択されたキーワードに置き換える、請求項１に記載の電子機器。
【請求項６】
タッチスクリーンディスプレイから入力されるｎ（ｎは３以上の整数）画で表現される文字又は単語のストロークデータに対応する各ストローク集合に対して文字認識処理を実行し、
キーワードと、前記キーワードに属するストローク集合に対する文字認識結果とが少なくとも記憶される特徴テーブルを、１画目〜ｎ画目のストローク集合乃至ｎ−１画目〜ｎ画目のストローク集合、およびｎ画目のストロークにおける前記文字認識処理の各認識結果に基づいて検索し、
前記１画目〜ｎ画目のストローク集合乃至ｎ−１画目〜ｎ画目のストローク集合、および前記ｎ画目のストローク毎に前記特徴テーブルから検索された前記キーワードを前記ｎ画目を入力した時点の前記ストロークデータに対する入力候補として前記タッチスクリーンディスプレイに表示する
方法。
【請求項７】
検索された前記キーワードの各々に対して画数をランク付けのためのスコアとして付与し、
前記１画目〜ｎ画目のストローク集合乃至ｎ−１画目〜ｎ画目のストローク集合、および前記ｎ画目のストロークで検索された前記キーワードのうち、前記スコアの合計の高いキーワードを前記ｎ画目を入力した時点の前記ストロークデータに対する入力候補として前記タッチスクリーンディスプレイに表示する、請求項６に記載の方法。
【請求項８】
ｋ画目（１＜ｋ＜ｎ）のストロークを基点とした前記文字認識処理の認識結果に基づいて前記特徴テーブルを検索し、その検索結果のキーワードの１つが前記入力候補として選択された場合、１画目〜ｋ−１画目のストロークをそのままにして、ｋ画目以降のストロークを前記選択されたキーワードに置き換える、請求項６に記載の方法。
【請求項９】
コンピュータにより実行されるプログラムであって、
タッチスクリーンディスプレイから入力されるｎ（ｎは３以上の整数）画で表現される文字又は単語のストロークデータに対応する各ストローク集合に対して文字認識処理を実行する手段と、
キーワードと、前記キーワードに属するストローク集合に対する文字認識結果とが少なくとも記憶される特徴テーブルを、１画目〜ｎ画目のストローク集合乃至ｎ−１画目〜ｎ画目のストローク集合、およびｎ画目のストロークにおける前記文字認識処理の各認識結果に基づいて検索する手段と、
前記１画目〜ｎ画目のストローク集合乃至ｎ−１画目〜ｎ画目のストローク集合、および前記ｎ画目のストローク毎に前記特徴テーブルから検索された前記キーワードを前記ｎ画目を入力した時点の前記ストロークデータに対する入力候補として前記タッチスクリーンディスプレイに表示する手段と、
を実行させるプログラム。
【請求項１０】
検索された前記キーワードの各々に対して画数をランク付けのためのスコアとして付与する手段と、
前記１画目〜ｎ画目のストローク集合乃至ｎ−１画目〜ｎ画目のストローク集合、及び前記ｎ画目のストロークで検索された前記キーワードのうち、前記スコアの合計の高いキーワードを前記ｎ画目を入力した時点の前記ストロークデータに対する入力候補として前記タッチスクリーンディスプレイに表示する手段と、
をさらに実行させる請求項９に記載のプログラム。
【請求項１１】
２画目〜ｎ画目のストローク集合で検索された第２キーワードを、１画目〜ｎ画目のストローク集合で検索された第１キーワードとは異なる色で表示する、請求項９に記載のプログラム。
【請求項１２】
１画目のストロークが入力された時点から手書き入力候補として複数回表示されているにも関わらず、選択されない前記キーワードを前記入力候補として表示され続けるのを阻止する手段をさらに実行させる請求項９に記載のプログラム。
【請求項１３】
ｋ画目（１＜ｋ＜ｎ）のストロークを基点とした前記文字認識処理の認識結果に基づいて前記特徴テーブルを検索し、その検索結果のキーワードの１つが前記入力候補として選択された場合、１画目〜ｋ−１画目のストロークをそのままにして、ｋ画目以降のストロークを前記選択されたキーワードに置き換える、請求項９に記載のプログラム。
【手続補正２】
【補正対象書類名】明細書
【補正対象項目名】０００６
【補正方法】変更
【補正の内容】
【０００６】
実施形態によれば、電子機器は、タッチスクリーンディスプレイと、キーワードと、前記キーワードに属するストローク集合に対する文字認識結果とが少なくとも記憶される特徴テーブルと、手書きアプリケーションプログラムを実行するプロセッサと、を具備する。前記プロセッサは、前記タッチスクリーンディスプレイから入力されるｎ（ｎは３以上の整数）画で表現される文字又は単語のストロークデータに対応する各ストローク集合に対して文字認識処理を実行し、１画目〜ｎ画目のストローク集合乃至ｎ−１画目〜ｎ画目のストローク集合、およびｎ画目のストロークにおける前記文字認識処理の各認識結果に基づいて前記特徴テーブルを検索し、前記１画目〜ｎ画目のストローク集合乃至ｎ−１画目〜ｎ画目のストローク集合、および前記ｎ画目のストローク毎に前記特徴テーブルから検索された前記キーワードを前記ｎ画目を入力した時点の前記ストロークデータに対する入力候補として前記タッチスクリーンディスプレイに表示する。